(57)【特許請求の範囲】
【請求項１】
内部に収納空間を有し且つ内底部と対向して開口部が形成されたケース本体、及びこのケース本体の開口部に装着された蓋体を含む器体と、
可動接点が形成された可動バネ、及びこの可動バネの両側部に形成した係合片を有し、前記器体の内底部側に配置された基端部を支点として揺動自在な可動接触子と、
前記蓋体に揺動自在に支持された操作子と、この操作子に押圧されて揺動する転換子と、該転換子から延出する駆動アームとを含み、該駆動アームの先端に形成された駆動接触部が前記係合片の先端と係合して前記可動接触子を揺動させる操作手段と、
前記可動接触子を基端部から先端方向へ付勢する付勢手段と、
固定接点を有し、前記器体内で該固定接点が前記可動接点と対向配置された固定端子と、を備えたスイッチ装置であって、
前記可動接触子は、基端部から係合片の先端までの高さを、少なくとも基端部から可動接点の中心までの高さよりも低く設定してあり、かつ前記可動バネと係合片との間を折曲形成してなることを特徴とするスイッチ装置。
【請求項２】
内部に収納空間を有し且つ内底部と対向して開口部が形成されたケース本体、及びこのケース本体の開口部に装着された蓋体を含む器体と、
可動接点が形成された可動バネ、及びこの可動バネの両側部に形成した係合片を有し、前記器体の内底部側に配置された基端部を支点として揺動自在な可動接触子と、
前記蓋体に揺動自在に支持された操作子と、この操作子から延出する駆動アームとを含み、該駆動アームの先端に形成された駆動接触部が前記係合片の先端と係合して前記可動接触子を揺動させる操作手段と、
前記可動接触子を基端部から先端方向へ付勢する付勢手段と、
固定接点を有し、前記器体内で該固定接点が前記可動接点と対向配置された固定端子と、を備えたスイッチ装置であって、
前記可動接触子は、基端部から係合片の先端までの高さを、少なくとも基端部から可動接点の中心までの高さよりも低く設定してあり、かつ前記可動バネと係合片との間を折曲形成してなることを特徴とするスイッチ装置。
【請求項３】
請求項１又は２のスイッチ装置において、
前記可動接触子は、前記可動バネと係合片との間に切欠きを有することを特徴とするスイッチ装置。
【請求項４】
スイッチ装置に組み込まれ同装置の器体内で基端部を支点として揺動自在に支持される可動接触子であって、
可動接点が形成された可動バネとこの可動バネの両側部に形成した係合片とを有し、基端部から係合片の先端までの高さを、少なくとも基端部から可動接点の中心までの高さよりも低く設定してあり、かつ前記可動バネと係合片との間を折曲形成してなることを特徴とする可動接触子。
【請求項５】
請求項４記載の可動接触子において、
前記可動バネと係合片との間に切欠きを有することを特徴とする可動接触子。
【発明の詳細な説明】
【０００１】
【発明の属する技術分野】
この発明は、照明器具等のＯＮ／ＯＦＦを行うための屋内配線器具として好適なスイッチ装置と、同装置に組み込まれる可動接触子に関する。
【０００２】
【従来の技術】
従来のこの種のスイッチ装置として、例えば、本出願人が先に提案した特開平１−１５１１２２号公報に開示されたものがある。図１７はこの種の従来のスイッチ装置を示す正面断面図である。
同図に示す従来のスイッチ装置は、ケース本体３０２及び蓋体３０３からなる器体３０１の内部に、操作子３５０、可動接点３３４を有する可動接触子３３０、固定接点３１２を有する固定端子３１０、及び接続端子３１１等の構成部材を収納している。操作子３５０は、支点部３５２が蓋体３０３に揺動自在に支持されており、操作部３５１が蓋体３０３のボス面３０３ａから露出している。操作子３５０の底部からは駆動アーム３６２が延出しており、この駆動アーム３６２の先端にＶ溝形状の駆動接触部（図示せず）が形成されている。
【０００３】
可動接触子３３０は、図１８に示すように可動接点３３４が形成された板状の可動バネを有し、その両側部に係合片３３３を一体形成した構造となっている。ケース本体３０２の底部には、弾力性を有する板バネ形状の支持体３２０が配設され、この支持体３２０の上に可動接触子３３０の基端部が配置される。可動接触子３３０は、この基端部を支点として揺動自在に組み込まれている。なお、支持体３２０は、接続端子３１１と電気的に接続されている。
【０００４】
上述した駆動アーム３６２の先端（駆動接触部）は、可動接触子３３０の係合片３３３と係合する。そして、操作子３５０の支点部３５２を中心とする揺動に伴い、駆動接触部が係合片３３３を押圧して可動接触子３３０を揺動させる。このとき、可動接触子３３０は、支持体３２０により基端部から先端方向へ付勢されているので、揺動死点を越えたときに反転して該揺動方向へ自ら揺動しようとする。これによりクリック感をもって固定接点３１２に対する可動接点３３４の開閉動作が行われる。
【０００５】
【発明が解決しようとする課題】
上述した構造の従来のスイッチ装置において、操作子３５０の操作部３５１は、揺動操作に伴い一端又は他端が蓋体３０３のボス面３０３ａから突き出す。この突き出し量は、操作子３５０の揺動角度が大きくなるほど多くなる。近年、スイッチ装置の外観を室内の壁面と調和させるために、この操作部３５１の突き出し量は可能な限り少なくして欲しいという要望がユーザ等から頻繁に寄せられている。
【０００６】
また、近年、ユーザの高齢化に対応して、図１９に示すように広い面積を有する操作板４０１で操作子の操作部を代替した構成のスイッチ装置４００も提案されている。この種のスイッチ装置４００は、蓋体４０２から露出する操作子４０３の表面に操作板４０１の裏面を装着して一体化する構造となっている。スイッチ装置は、取付枠４１０に装着された状態で室内の壁面に取り付けられ、さらに取付枠４１０の表面を化粧プレート４２０で被覆した後、操作子４０３に操作板４０１が装着される。
【０００７】
この種のスイッチ装置４００にあっても、操作子４０３と一体に操作板４０１が揺動し、この揺動に伴い該操作板４０１の一端又は他端が、化粧プレート４２０から突き出す。この突き出し量は、操作板４０１が広い面積を有することから、図１７に示したスイッチ装置よりも顕著であり、故に操作子４０３の揺動角度を一層小さくすることが望まれていた。
【０００８】
本発明はこのような事情に鑑みてなされたもので、操作子の揺動角度を小さくして、操作子の操作部又は操作板の突き出し量を少なくすることを目的とする。
【０００９】
【課題を解決するための手段】
上記目的を達成するために、請求項１の発明は、内部に収納空間を有し且つ内底部と対向して開口部が形成されたケース本体、及びこのケース本体の開口部に装着された蓋体を含む器体と、可動接点が形成された可動バネ、及びこの可動バネの両側部に形成した係合片を有し、器体の内底部側に配置された基端部を支点として揺動自在な可動接触子と、蓋体に揺動自在に支持された操作子と、この操作子に押圧されて揺動する転換子と、該転換子から延出する駆動アームとを含み、該駆動アームの先端に形成された駆動接触部が係合片の先端と係合して可動接触子を揺動させる操作手段と、可動接触子を基端部から先端方向へ付勢する付勢手段と、固定接点を有し器体内で該固定接点が可動接点と対向配置された固定端子と、を備えたスイッチ装置であって、可動接触子の基端部から係合片の先端までの高さを、少なくとも基端部から可動接点の中心までの高さよりも低く設定したことを特徴とする。
【００１０】
また、請求項２の発明は、内部に収納空間を有し且つ内底部と対向して開口部が形成されたケース本体、及びこのケース本体の開口部に装着された蓋体を含む器体と、可動接点が形成された可動バネ、及びこの可動バネの両側部に形成した係合片を有し、器体の内底部側に配置された基端部を支点として揺動自在な可動接触子と、蓋体に揺動自在に支持された操作子と、この操作子から延出する駆動アームとを含み、該駆動アームの先端に形成された駆動接触部が係合片の先端と係合して可動接触子を揺動させる操作手段と、可動接触子を基端部から先端方向へ付勢する付勢手段と、固定接点を有し器体内で該固定接点が可動接点と対向配置された固定端子と、を備えたスイッチ装置であって、可動接触子の基端部から係合片の先端までの高さを、少なくとも基端部から可動接点の中心までの高さよりも低く設定したことを特徴とする。
【００１１】
特開平１−１５１１２２号公報に開示され如き構造をした従来のスイッチ装置においては、可動接触子は、図１８に示すように係合片３３３の先端位置が可動接点３３４の中心とほぼ同じ高さか、あるいはそれよりも高い位置に設定されていた。既述したように、駆動アーム３６２の先端に形成した駆動接触部は、この係合片３３３の先端と係合して該係合片３３３に揺動力を付与するが、係合片３３３の先端位置が操作子３５０の支点部３５２に近づくほど、駆動アーム３６２の長さが短くなり、その結果、可動接触子３３０を一定角度揺動させるために必要となる操作子３５０の揺動角度が大きくなってしまう。
【００１２】
本発明者は、この点に着目し、可動接触子の基端部から係合片の先端までの高さを、少なくとも基端部から可動接点の中心（好ましくは可動接点の下端）までの高さよりも低く設定することで、駆動アームの長さを充分に確保している。すなわち、駆動アームの長さが長くなるほど、操作子の少ない揺動量に対して駆動接触部が大きく振れ、これと係合する可動接触子の係合片を大きく揺動させることができる。したがって、操作子の少ない揺動量をもって可動接触子の接点開閉動作を実現することができ、操作部の突き出し量を抑制することが可能となる。
【００１３】
また、本発明は、可動接触子の可動バネと係合片との間を折曲形成してもよい（請求項３）。このように、可動バネと係合片との間で折曲形成することで、可動接触子の剛性が高まり、駆動接触部からの押圧力に対して可動接触子の撓みを抑制することができる。しかも、二極スイッチや四路スイッチなど、器体内に複数の可動接触子を並列して挿入する構造のスイッチ装置にあっては、可動バネと係合片との間を折曲形成したことにより可動接触子の幅寸法が縮小され、限られた幅の器体内であっても、複数の可動接触子を無理なく並列して組み込むことができる。
【００１４】
さらに、本発明は、可動接触子の可動バネと係合片との間に、切欠きを有する構成としてもよい（請求項４）。このような切欠きを形成することで、可動バネに柔軟な弾力性を付与して接点間の確実な接触を実現することができる。
【００１５】
また、請求項５の発明は、スイッチ装置に組み込まれ同装置の器体内で基端部を支点として揺動自在に支持される可動接触子であって、可動接点が形成された可動バネとこの可動バネの両側部に形成した係合片とを有し、基端部から係合片の先端までの高さを、少なくとも基端部から可動接点の中心までの高さよりも低く設定してあることを特徴とする。斯かる可動接触子の発明にあっても、可動バネと係合片との間を折曲形成することができ、また可動バネと係合片との間に切欠きを有する構成としてもよい。
【００１６】
【発明の実施の形態】
以下、本発明の実施の形態について図面を参照して詳細に説明する。
まず、本発明の第１実施形態について、図１〜図１０を参照して説明する。図１はこの発明の実施形態に係るスイッチ装置の分解斜視図、図２は同スイッチ装置の外観を示す斜視図、図３は同スイッチ装置の内部構造を示す平面図、図４は同じく側面断面図である。
【００１７】
第１実施形態のスイッチ装置は、図１に示すように、固定端子１０、接続端子１１、及び可動接触子３０をそれぞれ二組備えた二極スイッチであって、可動接触子３０を揺動させる操作ユニット４０（操作手段）が操作子５０と転換子６０を含む構成となっている。このスイッチ装置は、図１９に示したスイッチ装置と同様に、操作子５０に操作板（図１９の４０１に相当）を装着して用いられる。
【００１８】
図において、１は器体であり、この器体１は内部に収納空間を有し且つ上面が開口するケース本体２と、このケース本体２の開口部に締結金具４によって装着される蓋体３とで構成されている。蓋体３のボス面３ａには、後述する操作子５０の操作ブロック５１を露出させる開口３ｂが形成してある。また、ケース本体２には、図４に示すように、電線が個別に挿入される電線挿入孔５と、解除ボタン１４を操作するための工具挿入孔（図示せず）とが下方に開口して形成してある。
【００１９】
器体１の内部には、図３に示すように固定端子１０と接続端子１１の組が幅方向に並べて二組収納されている。各端子１０，１１は、銅合金によって断面コ字状に折曲形成してある。そして、固定端子１０には、中間部を折り出すことによりその先端部に固定接点１２が設けてある。これら各端子１０，１１は、電線挿入孔５と対向配置されており、さらに各端子１０，１１の内側に押えバネ１３を配設することで、いわゆるネジ無し端子が構成されている。
【００２０】
押えバネ１３は、図１、図４に示すように、一端をＵ字状に折り曲げ且つ他端をＳ字状に折り曲げることによって両端部に係止片１３ａ，１３ｂが形成してある。これら係止片１３ａ，１３ｂは、互いに同方向に延出しており、電線挿入孔５から差し込まれた電線を各先端縁で挟持する。また、各係止片１３ａ，１３ｂの先端縁は、工具挿入孔（図背せず）に対向配置した解除ボタン１４の内側端面と対向しており、ドライバ等の工具により解除ボタン１４を移動させることにより、各係止片１３ａ，１３ｂの先端縁を押圧して弾性変形させ、これにより電線の挟持状態を解除可能としている。また、接続端子１１には、支持体２０が電気的に接続してある。
【００２１】
支持体２０は、中間部がほぼＶ字形に折曲形成された板バネからなり、Ｖ字形の折曲部で後述する可動接触子３０の基端部を揺動自在に支持するとともに、該可動接触子３０を基端部から先端方向へ弾力的に付勢している。
【００２２】
可動接触子３０は、金属製の板材からなり、図６に示すように、接触子本体３１の基部３１ａから延出する可動バネ３２及び係合片３３を有している。可動バネ３２は平板状に形成され、基部３１ａの中央部から延出している。可動バネ３２の面部３２ａには可動接点３４が設けてある。この可動接点３４は、器体１内で、固定接点１２と対向配置され、後述する操作子５０の揺動操作に連動して、固定接点１２と接離する。
【００２３】
また、基部３１ａから連続する可動バネ３２の基端部分には、くの字形状の屈曲部３２ｂが形成してあり、これにより本実施形態では可動バネ３２の面部３２ａが後述する係合片３３とほぼ同一平面上に配置されるように調整してある。なお、必要に応じて可動バネ３２の面部３２ａを係合片３３より前方又は後方に配置することもでき、この面部３２ａの位置調整により、可動接点３４の固定接点１２に対する接触圧を任意に調整することが可能である。
【００２４】
係合片３３は、可動バネ３２の両側（すなわち、接触子本体３１の両側部）にそれぞれ形成してある。これら係合片３３は、接触子本体３１の基部３１ａからほぼ直角に折曲形成してある。このように係合片３３を折曲形成することで、可動接触子３０の剛性が高まり、可動接触子３０の可動バネ３２以外の不安定な撓みが抑制される。しかも、可動接触子３０の幅寸法を大幅に縮小することができ、図３に示すように、器体１内に２組の可動接触子３０を幅方向に無理なく並べて収納配置することができる。
【００２５】
可動バネ３２と係合片３３との間には、切欠き３５が形成してあり、平板状の可動バネ３２については弾力的に撓んで、固定接点１２に当接する際の衝撃が緩和される構成となっている。また、各係合片３３は、先端にいくにしたがい幅狭となる形状としてあり、尖った先端部が後述する駆動アーム６２のＶ字溝６５（駆動接触部）と係合する。
【００２６】
操作ユニット４０は、可動接触子３０を揺動させる操作手段としての機能を有している。本実施形態では、この操作ユニット４０を、操作子５０と転換子６０の組み合わせをもって構成してある。
操作子５０は、操作ブロック５１によって基部が形成されており、この操作ブロック５１の両側面中央部に、それぞれ揺動支軸５２が突出して形成してある。各揺動支軸５２の上端縁は、蓋体３の内側面に設けた下方に開く支持溝３ｃ（図１参照）に支持され、これにより操作子５０は揺動支軸５２を中心として揺動自在となっている。
【００２７】
操作ブロック５１の上面は、蓋体３のボス面３ａに形成した開口３ｂから露出し、この上面の両脇に操作板（図１９の４０１に相当）を取り付けるための装着爪５３が設けられている（図１，図２参照）。なお、操作ブロック５１は、中央部に開口５１ａが形成されており、この開口５１ａに透光板５４が装着される。この透光板５４は、転換子６０の上面に装着される図示しない作動ランプからの光線を外部へ導くためのものである。作動ランプは、各接点１２，３４が当接してＯＮ状態を形成したとき発光する状態表示手段として機能するものである。
【００２８】
操作ブロック５１の両側下部には、中央部に下方が開口した支持溝５５を有する転換支持壁５６が形成してある。図５に示すように、支持溝５５の天井面は、平坦な支持面５５ａを形成しており、この支持面５５ａに後述する転換子６０の揺動支点６３が当接して支持される。また、操作ブロック５１の両側下部には、両端近傍に後述する転換子６０を押圧するための押圧部５７ａ，５７ｂが突出して形成してある。
【００２９】
転換子６０は、転換ブロック６１によって基部が形成されており、この転換ブロック６１の両側面中央部から、駆動アーム６２が延出している。駆動アーム６２の基端部６２ａには、揺動支点６３が突出して形成してあり、この揺動支点６３が、図５に示すように操作ブロック５１に形成した支持面５５ａに当接して揺動自在に支持されている。駆動アーム６２の基端部６２ａは、操作ブロック５１に形成した支持溝５５内に配置され、転換支持壁５６によって横方向への移動が規制されている。ただし、転換支持壁５６と駆動アーム６２の基端部６２ａとの間には、揺動支点６３が支持面５５ａに沿って僅かながら移動し得る隙間が形成されている。さらに、転換ブロック６１の両側面には、両端部近傍に受圧部６４ａ，６４ｂが突出して形成してある。この受圧部６４ａ，６４ｂは傾斜面となっており、これら受圧部６４ａ，６４ｂに操作ブロック５１の押圧部５７ａ，５７ｂが選択的に当接する。
【００３０】
各駆動アーム６２の下端には、可動接触子３０の係合片３３との駆動接触部を構成するＶ字溝６５が形成してあり、このＶ字溝６５に各係合片３３の先端部がそれぞれ係合している（図８参照）。また、図４及び図５に示すように、支持体２０の下部には、付勢手段の一具体例を示すコイルバネ２１が設けてあり、このコイルバネ２１の付勢力をもって、支持体２０及び可動接触子３０を押し上げている。これにより、可動接触子３０に形成した係合片３３の先端部が、駆動アーム６２に形成したＶ字溝６５との係合状態を保持するとともに、揺動支点６３の支持面５５ａへの当接状態、及び揺動支軸５２の支持溝３ｃへの当接状態を保持している。
【００３１】
上述した構成のスイッチ装置は、操作子５０に装着した操作板（図１９の４０１に相当）の一端部又は他端部を押圧操作したとき、次のように操作子５０及び転換子６０が動作して、駆動アーム６２が可動接触子３０を揺動させる。
すなわち、図４及び図５に示したように、固定接点１２から可動接点３４が離間した状態（ＯＦＦ状態）において、図示しない操作板（図１９の４０１に相当）を介して操作子５０の突出側端部（同図において右側端部）が押圧されると、操作子５０は揺動支軸５２を中心に図示時計方向へ揺動し、図示右側端部の押圧部５７ａが転換子６０の受圧部６４ａを押圧する。この押圧力により、転換子６０が揺動支点６３を中心に図示時計方向へ揺動し、それに伴い駆動アーム６２が可動接触子３０の係合片３３を押圧する。その結果、可動接触子３０が基端部を中心に図示反時計方向へ揺動して、図７及び図８に示す状態となる。なお、操作子５０の揺動中心（揺動支軸５２）と転換子６０の揺動中心（揺動支点６３）とが異なった位置にある結果、互いの揺動軌道にずれが生じるが、そのずれは揺動支点６３の支持面５５ａに沿った僅かな移動によって調整される。
【００３２】
図７及び図８に示す状態は、可動接触子３０が揺動死点にきた状態を示しており、この揺動死点を僅かでも越えると、可動接触子３０は支持体２０及びコイルバネ２１の付勢力をもって自ら反転して、図９及び図１０に示すように可動接点３４を固定接点１２に当接させる。このとき、転換子６０も可動接触子３０に連れられて図示時計方向に揺動する。したがって、操作子５０は、可動接触子３０を揺動死点まで揺動させるだけ揺動すればよく、その揺動範囲が狭いという特徴がある。
【００３３】
一方、図９及び図１０に示した状態（ＯＮ状態）から、図４及び図５に示したＯＦＦ状態へ切り替えるには、図示しない操作板（図１９の４０１に相当）を介して操作子５０の突出側端部（同図において左側端部）を押圧すればよい。この押圧操作により、上記動作とは逆向きに可動接触子３０及び転換子６０が揺動して、可動接触子３０を図示時計方向へ揺動させ、固定接点１２に対し可動接点３４を離間させる。
【００３４】
ここで、可動接触子３０は、図６に示すように、基端部から係合片３３の先端までの高さｈ０を、少なくとも基端部から可動接点３４の中心（好ましくは、可動接点１３４の下端）までの高さｈ１よりも低く設定してある。このように、係合片３３の高さｈ０を低く設定することで、駆動アーム６２の長さを長くすることができる（図５参照）。駆動アーム６２が長くなれば、転換子６０の小さな揺動に対してＶ字溝６５が大きく振れるため、このＶ字溝６５に係合する係合片３３を大きく揺動させることが可能となる。したがって、可動接触子３０の反転動作に必要な操作子５０の揺動範囲を小さくすることができる。そして、操作子５０の揺動範囲が小さくなる結果、操作子５０に装着される操作板（図１９の４０１に相当）の突き出し量が小さくなる。
【００３５】
なお、基端部から係合片３３の先端までの高さｈ０をさらに低くすれば、駆動アーム６２を長くすることができ、操作子５０の反転角度を小さくできるため、操作板の突き出し量をさらに小さくできる。よって、ｈ０の高さは、使用する操作板の大きさと突き出し量とのバランスで適宜決定すればよい。
【００３６】
次に、本発明の第２実施形態に係るスイッチ装置について、図１１及び図１２を参照して説明する。なお、これらの図において、先に示した図１及び図４と同一部分又は相当する部分には同一符号を付し、それらの詳細な説明は省略する。本実施形態のスイッチ装置は、図１１に示すように、固定端子１０、接続端子１１、及び可動接触子１３０をそれぞれ一組だけ備えたいわゆる単極スイッチである。したがって、二枚の可動接触子３０を幅方向に並べて器体１内に収納しなければならない第１実施形態のスイッチ装置に比べ、可動接触子１３０の幅寸法にゆとりがある。そこで、本実施形態の可動接触子１３０は、図１３に示すように平板状に形成されている。
【００３７】
この可動接触子１３０は、金属製の板材からなり、接触子本体１３１の基部１３１ａから延出する可動バネ１３２及び係合片１３３を有している。可動バネ１３２は平板状に形成され、基部１３１ａの中央部から延出している。可動バネ１３２の面部１３２ａには可動接点１３４が設けてある。この可動接点１３４は、器体１内で、固定接点１２と対向配置され、操作子５０の揺動操作に連動して、固定接点１２と接離する。
【００３８】
係合片１３３は、可動バネ１３２の両側（すなわち、接触子本体１３１の両側部）にそれぞれ形成してあり、駆動アーム６２の先端（駆動接触部）と係合する。可動バネ１３２と係合片１３３との間には、切欠き１３５が形成してあり、この切欠き１３５によって平板状の可動バネ１３２の弾力性を確保している。
【００３９】
この可動接触子１３０も、基端部から係合片１３３の先端までの高さｈ０を、少なくとも基端部から可動接点１３４の中心（好ましくは、可動接点１３４の下端）までの高さｈ１よりも低く設定してある。このように、係合片１３３の高さｈ０を低く設定することで、第１実施形態の可動接触子３０と同様に、その反転動作に必要な操作子５０の揺動範囲を小さくすることができる。
【００４０】
図１４及び図１５は、本発明の第３実施形態に係るスイッチ装置を示す図である。これらの図においても、先に示した図１、図４、図１１及び図１２と同一部分又は相当する部分には同一符号を付し、それらの詳細な説明は省略する。
本実施形態のスイッチ装置は、第２実施形態と同様、固定端子１０、接続端子１１、及び可動接触子１３０をそれぞれ一組だけ備えたいわゆる単極スイッチである。
【００４１】
本実施形態のスイッチ装置では、転換子（６０）が省略され、操作子１５０から駆動アーム１５１が延出している。この駆動アーム１５１の先端に形成した駆動接触部１５２が、可動接触子１３０の係合片１３３と係合し、操作子１５０の揺動に伴い該係合片１３３を押圧する。これにより係合片１３３が揺動して、可動接点１３４を固定接点１２に対して接離させる。
【００４２】
本実施形態で用いる可動接触子１３０は、第２実施形態のものと同様に平板状に形成されている。本実施形態においても、可動接触子１３０の基端部から係合片１３３の先端までの高さｈ０を、少なくとも基端部から可動接点１３４の中心（好ましくは、可動接点１３４の下端）までの高さｈ１よりも低く設定してある（図１３参照）。このように、係合片１３３の高さｈ０を低く設定することで、第１実施形態の可動接触子３０と同様に、その反転動作に必要な操作子１５０の揺動範囲を小さくすることができる。
【００４３】
なお、本発明は上述した実施形態に限定されるものではない。
例えば、上記第２又は第３実施形態に示したような単極のスイッチ装置においても、図１６に示すごとく係合片２３３を接触子本体２３１の基部２３１ａに対してほぼ直角に折曲形成した可動接触子２３０を用いてもよい。このような構成の可動接触子２３０は、全幅Ｄのうち係合片２３３が占める寸法は板圧ｔだけである。したがって、（Ｄ−２ｔ）の範囲で可動バネ２３２の幅ｄを任意に設定することが可能となる。これにより、例えば、可動バネ２３２の幅ｄを任意に設定することでそのバネ力の大きさを調整することができる。
【００４４】
【発明の効果】
以上説明したように、本発明によれば、可動接触子の基端部から係合片の先端までの高さを、少なくとも基端部から可動接点の中心までの高さよりも低く設定することで、駆動アームの長さを充分に確保し、操作子の少ない揺動量をもって可動接触子の接点開閉動作を実現することができ、操作部の突き出し量を抑制することが可能となる。
【００４５】
また、可動接触子の可動バネと係合片との間を折曲形成すれば、可動接触子の剛性が高まり、駆動接触部からの押圧力に対して可動接触子の撓みを抑制することができる。
【図面の簡単な説明】
【図１】この発明の第１実施形態に係るスイッチ装置の分解斜視図である。
【図２】同スイッチ装置の外観を示す斜視図である。
【図３】同スイッチ装置の内部構造を示す平面図である。
【図４】同スイッチ装置の側面断面図である。
【図５】同スイッチ装置の操作ユニット及び可動接触子を拡大して示す側面図である。
【図６】同スイッチ装置の可動接触子を示す斜視図である。
【図７】同スイッチ装置の動作を説明するための側面断面図である。
【図８】同スイッチ装置の操作ユニット及び可動接触子の動作を説明するための側面図である。
【図９】同スイッチ装置の動作を説明するための図７に続く側面断面図である。
【図１０】同スイッチ装置の操作ユニット及び可動接触子の動作を説明するための図８に続く側面図である。
【図１１】この発明の第２実施形態に係るスイッチ装置の分解斜視図である。
【図１２】同スイッチ装置の側面断面図である。
【図１３】同スイッチ装置の可動接触子を示す斜視図である。
【図１４】この発明の第３実施形態に係るスイッチ装置の分解斜視図である。
【図１５】同スイッチ装置の側面断面図である。
【図１６】同可動接触子の変形例を示す斜視図である。
【図１７】従来のスイッチ装置を示す側面断面図である。
【図１８】従来のスイッチ装置に組み込まれていた可動接触子を示す斜視図である。
【図１９】従来の他のスイッチ装置を示す分解斜視図である。
【符号の説明】
１：器体
２：ケース本体
３：蓋体
４：締結金具
５：電線挿入孔
１０：固定端子
１１：接続端子
１２：固定接点
１３：押えバネ
１４：解除ボタン
２０：支持体
２１：コイルバネ
３０：可動接触子
３１：接触子本体
３１ａ：基部
３２：可動バネ
３３：係合片
３４：可動接点
３５：切欠き
４０：操作ユニット
５０：操作子
５１：操作ブロック
５２：揺動支軸
５３：装着爪
５４：透光板
５５：支持溝
５６：転換支持壁
５７ａ，５７ｂ：押圧部
６０：転換子
６１：転換ブロック
６２：駆動アーム
６３：揺動支点
６４ａ，６４ｂ：受圧部
６５：Ｖ字溝（駆動接触部）
１３０：可動接触子
１３１：接触子本体
１３２：可動バネ
１３３：係合片
１３４：可動接点
１３５：切欠き
１５０：操作子
１５１：駆動アーム
１５２：駆動接触部
２３０：可動接触子
２３１：接触子本体
２３２：可動バネ
２３３：係合片
４０１：操作板
【図１】
0004525954.tif 000002
【図２】
0004525954.tif 000003
【図３】
0004525954.tif 000004
【図４】
0004525954.tif 000005
【図５】
0004525954.tif 000006
【図６】
0004525954.tif 000007
【図７】
0004525954.tif 000008
【図８】
0004525954.tif 000009
【図９】
0004525954.tif 000010
【図１０】
0004525954.tif 000011
【図１１】
0004525954.tif 000012
【図１２】
0004525954.tif 000013
【図１３】
0004525954.tif 000014
【図１４】
0004525954.tif 000015
【図１５】
0004525954.tif 000016
【図１６】
0004525954.tif 000017
【図１７】
0004525954.tif 000018
【図１８】
0004525954.tif 000019
【図１９】
0004525954.tif 000020